(57)【特許請求の範囲】
【請求項１】
複数の絵文字が表示された表示部材と、
前記表示部材に対して移動自在に形成され、複数の各停止位置で前記複数の絵文字の一つを指し示す指標を備えた操作部材と、
該操作部材の指標によって指し示された絵文字に対応するモードを選択し、選択したモードによって動作する制御手段と、
前記各絵文字を独立して照明する複数の照明手段と、
前記各照明手段を点灯制御する表示制御手段とを備え、
前記絵文字の中の特定の絵文字は、前記操作部材の指標によって指し示されたときに他の複数の絵文字に対応するモードの中から所定の条件を満足するモードが自動選択される自動選択モードを表示していて、
前記表示制御手段は、前記電源オン状態では、前記操作部材の指標によって前記特定の絵文字が指し示されているときは該指し示された特定の絵文字の照明手段および前記自動選択されたモードに対応する他の絵文字の照明手段を点灯させ、前記操作部材の指標によって前記特定の絵文字以外の絵文字が指し示されているときは該指し示された絵文字を照明する照明手段を点灯させ、
さらに前記表示制御手段は、前記電源がオフからオンになったときは、前記各照明手段を所定のアルゴリズムで点灯および消灯させ、その後、前記電源オン状態における態様で前記照明手段を点灯させること、を特徴とするカメラの表示装置。
【請求項２】
前記特定の絵文字は２種類設けられていて、一方の特定の絵文字は他の複数の絵文字に対応するモードの中から所定の条件を満足するモードが自動選択される自動選択モードであり、他方の特定の絵文字は前記自動選択された自動選択モードにおいてフラッシュの発光を禁止する発光禁止自動選択モードである請求項１記載のカメラの表示装置。
【請求項３】
前記アルゴリズムは、前記各絵文字を照明する照明手段を所定時間間隔で規則的に点灯させ、全て点灯させたら前記点灯させた順に所定時間間隔で消灯させるパターン表示処理である請求項１から３のいずれか一項記載のカメラの表示装置。
【請求項４】
前記アルゴリズムは、前記各絵文字を照明する照明手段の一つを所定時間点灯させてから消灯させる処理を不規則に繰り返すランダム表示処理である請求項１から３のいずれか一項記載のカメラの表示装置。
【請求項５】
前記表示制御手段は、前記パターン表示で点灯させた後、前記指し示された絵文字の照明手段および前記自動選択された自動選択モードに対応する絵文字の照明手段を所定時間点灯させてから消灯させる請求項３記載のカメラの表示装置。
【請求項６】
前記電源がオンされたときに前記所定のアルゴリズムで表示制御するか否か設定する手段を備えた請求項１から５のいずれか一項記載のカメラの表示装置。
【請求項７】
前記電源がオンされたときのアルゴリズムを前記パターン表示およびランダム表示のいずれか選択できる手段を備えた請求項１から６のいずれか一項記載のカメラの表示装置。
【請求項８】
前記操作部材の指標が前記各絵文字とは異なる第一の絵文字を指し示す位置にあるときにカメラにバッテリが装填されると、前記電源がオンされたときに前記いずれのアルゴリズムで点灯制御するか否かを切り換える手段を備えた請求項１から６のいずれか一項記載のカメラの表示装置。
【請求項９】
前記操作部材の指標が前記各絵文字とは異なる第二の絵文字を指し示す位置にあるときにカメラにバッテリが装填されると、前記電源がオンされたときに前記いずれのアルゴリズムで点灯制御するかを切り換える手段を備えた請求項１から６のいずれか一項記載のカメラの表示装置。
【請求項１０】
前記表示制御手段は、前記電源がオンされて前記アルゴリズムで表示制御している間にカメラの操作部材が操作されたときは、前記電源オン状態のときの表示態様による表示制御に変わる請求項１から９のいずれか一項記載のカメラの表示装置。
【請求項１１】
前記表示制御手段は、前記電源がオンされて前記アルゴリズムで表示制御している間にカメラの操作部材が操作されたときは、前記電源オン状態のときの表示態様による表示制御に変わり、前記カメラは、前記操作部材の指標が指し示す絵文字に対応するモードで撮影可能状態となる請求項１から９のいずれか一項記載のカメラの表示装置。
【発明の詳細な説明】
【０００１】
【発明の技術分野】
本発明は、カメラの表示装置、特にカメラの電源投入時の表示に特徴を有する表示装置に関する。
【０００２】
【従来技術およびその問題点】
近年のカメラは、カメラの機能を表示するＬＥＤ、ＬＣＤなどの表示装置を備えている。カメラの電源投入後、設定されている機能、例えば露出モードなどがこの表示装置に表示される。
しかし、従来の表示装置は、電源投入後、通常表示態様による表示が始まるが、通常表示態様だけでは、露出モードなど、撮影に重要な機能について何が設定されているか否かなどを使用者が容易に認識できる表示態様による表示をすることがなかった。
【０００３】
【発明の目的】
本発明は、電源投入時に特別な表示ができるカメラの表示装置を提供することを目的とする。
【０００４】
【発明の概要】
この目的を達成する本発明は、複数の絵文字が表示された表示部材と、前記表示部材に対して移動自在に形成され、複数の各停止位置で前記複数の絵文字の一つを指し示す指標を備えた操作部材と、該操作部材の指標によって指し示された絵文字に対応するモードを選択し、選択したモードによって動作する制御手段と、前記各絵文字を独立して照明する複数の照明手段と、前記各照明手段を点灯制御する表示制御手段とを備え、前記絵文字の中の特定の絵文字は、前記操作部材の指標によって指し示されたときに他の複数の絵文字に対応するモードの中から所定の条件を満足するモードが自動選択される自動選択モードを表示していて、前記表示制御手段は、前記電源オン状態では、前記操作部材の指標によって前記特定の絵文字が指し示されているときは該指し示された特定の絵文字の照明手段および前記自動選択されたモードに対応する他の絵文字の照明手段を点灯させ、前記操作部材の指標によって前記特定の絵文字以外の絵文字が指し示されているときは該指し示された絵文字を照明する照明手段を点灯させ、さらに前記表示制御手段は、前記電源がオフからオンになったときは、前記各照明手段を所定のアルゴリズムで点灯および消灯させ、その後、前記電源オン状態における態様で前記照明手段を点灯させること、にあります。この構成によれば、電源がオンしたことを使用者に明確に知らせることができる。
前記特定の絵文字は２種類設けられていて、一方の特定の絵文字は他の複数の絵文字に対応するモードの中から所定の条件を満足するモードが自動選択される自動選択モードであり、他方の特定の絵文字は前記自動選択された自動選択モードにおいてフラッシュの発光を禁止する発光禁止自動選択モードである。
前記アルゴリズムは、前記各絵文字を照明する照明手段を所定時間間隔で規則的に点灯させ、全て点灯させたら前記点灯させた順に所定時間間隔で消灯させるパターン表示処理、または前記各絵文字を照明する照明手段の一つを所定時間点灯させてから消灯させる処理を不規則に繰り返すランダム表示処理とすることができる。
前記表示制御手段は、前記パターン表示で点灯させた後、前記指し示された絵文字の照明手段および前記自動選択された自動選択モードに対応する絵文字の照明手段を所定時間点灯させてから消灯させる。
前記電源がオンされたときに、前記所定のアルゴリズムで表示制御するか否か設定する手段を備えてもよく、前記電源がオンされたときのアルゴリズムを前記パターン表示およびランダム表示のいずれか選択できる手段を備えてもよい。
前記操作部材の指標が前記各絵文字とは異なる第一の絵文字を指し示す位置にあるときにカメラにバッテリが装填されると、前記電源がオンされたときに前記いずれのアルゴリズムで点灯制御するか否かを切り換え、あるいは前記操作部材の指標が前記各絵文字とは異なる第二の絵文字を指し示す位置にあるときにカメラにバッテリが装填されると、前記電源がオンされたときに前記いずれのアルゴリズムで点灯制御するかを切り換える手段を備えることができる。この構成によれば、使用者の好み、使用環境に応じた表示が可能になる。
前記表示制御手段は、前記電源がオンされて前記アルゴリズムで表示制御している間に前記操作部材が操作されたときは、前記電源オン状態のときの表示態様による表示制御に変わる構成にできる。この場合、さらに、前記カメラは、前記操作部材の指標が指し示す絵文字に対応するモードで撮影可能状態となることが好ましい。
【０００５】
【発明の実施の形態】
以下図面に基づいて本発明を説明する。図１は、本発明を適用したＡＦ（自動焦点）一眼レフカメラのカメラボディの実施の形態の外観を示す斜視図である。カメラボディ１０１の上飾り板１０３上には、カメラボディ１０１に向かって左側にレリーズボタン１０５が設けられ、その後方にメインスイッチボタン１０７、撮影枚数、シャッタ速度、絞り値などの撮影情報を表示する外部ＬＣＤ１０９が設けられ、ほぼ中央のペンタ部には内蔵フラッシュ装置の発光部１１１が設けられ、その後方にアクセサリーシュー１１３が設けられている。発光部１１１は、詳細は図示しないが、反射傘、クセノン管およびフレネルレンズを備えた発光部筐体がペンタプリズム上部にポップアップ機構によって支持されていて、このポップアップ機構により、図１の収納位置と、ペンタプリズム上方であって、発光部面が被写体方向を向くポップアップ位置（発光位置）とに移動可能である。なお、ポップアップ機構は、発光部１１１を常時ポップアップ方向に移動付勢するばね部材と、発光部１１１が収納位置に移動したときにばね部材の付勢力に抗して発光部１１１を収納位置に係止する係止機構を備えている。
【０００６】
さらに上飾り板１０３の右側には、複数の露出モードの中から一つのプログラムモードを選択操作する操作手段としてモードダイヤル１２１が設けられている。カメラボディ１０１の正面には、撮影レンズを装着するボディマウント１１５、装着された撮影レンズ６１のレンズＣＰＵ６３との間で通信を実行してレンズ情報、例えば開放絞り値、焦点距離などの情報を入力するボディ接点群１１７が設けられている。
【０００７】
モードダイヤル１２１は、上飾り板１０３に対して固定された、複数の絵文字が表示された円形のモード盤（表示板）１２３と、そのモード盤１２３の外周に回転自在に装着されたベゼル１２５を備えている。このベゼル１２５には指標１２７が設けられていて、この指標１２７は、モード盤１２３の表面に設けられた絵文字群１２３ａ、１２３ｂの一つを指し示す位置で停止するように形成されていて、指標１２７が指し示す絵文字に対応するモードが選択される。一方の絵文字群１２３ａは半透明に形成されていて、指標１２７で指し示された絵文字を、モード盤１２３の背面（ボディ内側）から発光素子によって照明し、光らせることに特徴を有する。他方の絵文字群１２３ｂは照明を有していない。一方の絵文字群１２３ａは、両端の絵文字がオートピクチャモード（自動選択撮影モード）、発光禁止オートピクチャモード（発光禁止自動選択撮影モード）を表示し、その間の絵文字が標準モード、人物モード、風景モード、近接モードおよび動体モードおよび夜景モードを表示している。
【０００８】
このカメラボディ１０１の制御系の構成について、図２および図３に示したブロック図を参照してより詳細に説明する。カメラボディ１０１は、カメラの動作を統括的に制御するＣＰＵ１１を備えている。ＣＰＵ１１は、カメラの機能に関するプログラム等が書き込まれたＲＯＭおよび各種パラメータ、レンズ情報などを一時的に記憶するＲＡＭを内蔵している。さらにＣＰＵ１１には、撮影枚数や、各種書き換え可能なパラメータ、モードを書き込むＥＥＰＲＯＭ３９が接続されている。ＣＰＵ１１には、カメラボディ１０１のバッテリ室（図示せず）に装填されたバッテリ１３の電圧が電圧レギュレータ１５を介して定電圧として供給される。ＣＰＵ１１は、電圧レギュレータ１５から供給された定電圧によって発振子１７を作動させ、発振子１７から出力されるクロックパルスに同期して動作する。
【０００９】
ＣＰＵ１１には、スイッチ手段として、メインスイッチＳＷＭ、測光スイッチＳＷＳ、レリーズスイッチＳＷＲ、強制ポップアップスイッチＳＷＰｕ、ポップアップ検知スイッチＳＷＰｕｄ、ベゼル１２５に連動するモードダイヤルスイッチＳＷＭｏｄが接続されている。
【００１０】
メインスイッチＳＷＭはメインスイッチボタン１０７に連動するスイッチであって、スイッチボタン１０７がオン操作されてメインスイッチＳＷＭがオンするとＣＰＵ１１が起動する。そしてＣＰＵ１１は、周辺部材に電力供給するとともに、操作されたスイッチに応じた処理を開始する。
【００１１】
測光スイッチＳＷＳおよびレリーズスイッチＳＷＲはそれぞれレリーズボタン１０５に連動し、レリーズボタン１０５の半押し、全押しでそれぞれオンするスイッチである。測光スイッチＳＷＳがオンするとＣＰＵ１１は、測光用ＩＣ４１から測光信号を入力して被写体輝度を求め、選択された露出モードで最適なシャッタ速度および絞り値を算出するＡＥ演算を実行し、さらに位相差方式のＡＦ用ＣＣＤ３３から被写体像のビデオ信号を入力してデフォーカス量を演算し、モータドライバＩＣ２７を介してＡＦモータ２９を駆動して、撮影レンズ６１の焦点調節レンズ群Ｌを合焦位置まで移動させるＡＦ処理を実行する。ＡＦモータ２９の回転は、ジョイント３０を介して撮影レンズ６１のジョイント６６に伝達され、このジョイント６６を介して焦点調節機構６７を駆動して焦点調節レンズ群Ｌを合焦位置に移動させる。焦点調節レンズ群Ｌの移動量は、ＡＦモータ２９の回転に連動してＡＦパルスを出力するＡＦ用フォトインタラプタ３１のパルス数として求め、ＡＦ用フォトインタラプタ３１が出力するＡＦパルス数によってＡＦモータ２９の駆動量を制御する。なお、測光用ＩＣ４１はいわゆる分割測光センサを備えていて、撮影範囲を複数のエリアに分割して各測光エリア毎に分割測光ができる。
【００１２】
レリーズスイッチＳＷＲがオンするとＣＰＵ１１は、ミラーをアップさせるとともに、ＡＥ演算で設定した絞り値に基づいて絞り制御回路３７を作動させて撮影レンズ６１の絞りを絞り込み、シャッタ速度に基づいてシャッタ回路３５を作動させて露出する。露出が終了すると、モータドライバＩＣ１９を介してメカチャージモーター２１を作動させて、ミラーをダウンさせ、シャッタ機構の先幕、後幕走行ばねをチャージさせる。さらにＣＰＵ１１は、モータドライバＩＣ２３を介してフィルムモータ２５を作動させてフィルムを１コマ分巻き上げる。
【００１３】
強制ポップアップスイッチＳＷＰｕは、カメラボディ１０１の発光部１１１近傍に設けられた強制ポップアップボタン（図示せず）に連動するスイッチである。強制ポップアップスイッチＳＷＰｕがオンするとＣＰＵ１１は、スイッチングトランジスタＴｒ１をオンしてポップアップマグネットＰｕＭｇに通電し、発光部１１１を係止している係止機構の係止を解除させる。すると発光部１１１は、不図示のばね部材の付勢力によって発光位置までポップアップする。ＣＰＵ１１は、発光部１１１が発光位置までポップアップしたときにオンするポップアップ検知スイッチＳＷＰｕｄを介して、発光部１１１が発光位置までポップアップしたことを検知する。ポップアップ検知スイッチＳＷＰｕｄは、発光部１１１がポップアップ位置から収納位置方向に移動しているときはオフする。
【００１４】
また、本発明の実施の形態は、ＣＰＵ１１が測光用ＩＣ４１から得た被写体輝度データ、フィルムＩＳＯ感度データ等に基づいて被写体が低輝度であると判断したときは、ポップアップマグネットＰｕＭｇに通電して発光部１１１をポップアップさせて露光時に自動発光させることができる。なお、アクセサリーシュー１１３に外部フラッシュ７１が装着されているときは、発光部１１１をポップアップさせると発光部１１１が外部フラッシュ７１に衝突する可能性があるので発光部１１１はポップアップさせずに、外部フラッシュ７１を内蔵フラッシュ同様に発光制御する。
【００１５】
モードダイヤルスイッチＳＷＭｏｄは、ベゼル１２５の回転停止位置に応じてオン／オフする、４ビットのコードスイッチであって、ＣＰＵ１１は、そのオン／オフの組合せでベゼル１２５の停止位置、つまりベゼル１２５の指標１２７が指し示す一つの絵文字群１２３ａ、１２３ｂの絵文字に対応するモード、機能またはパラメータを選択する。
【００１６】
ＣＰＵ１１には、撮影情報など、撮影に必要な情報を表示する表示手段として、外部ＬＣＤ１０９およびファインダ内ＬＣＤ４５が接続されている。ＣＰＵ１１は、メインスイッチボタン１０７と連動するメインスイッチＳＷＭがオフした状態では、ファインダ内ＬＣＤ４５には何も表示せず、外部ＬＣＤ１０９には撮影前に必要な情報を表示する。撮影前に必要な情報とは、例えば、フィルムが装填されているか否か、装填されていないときはその旨、装填されているときは正常に巻き上げられているか否か、ローディング中はローディング状態、正常に巻き上げているときは撮影枚数、撮影終了して巻き戻しているときはその巻き戻し状態、巻き戻しが完了したときは巻き戻し完了状態があり、それぞれの状態に応じた表示をする。メインスイッチＳＷＭがオンした状態では、外部ＬＣＤ１０９には撮影枚数の他、選択されたシャッタ速度、モードなどを表示し、ファインダ内ＬＣＤ４５には、測光スイッチＳＷＳが半押しされるまで、またはモードダイヤル１２１が操作され、ＡＥ演算処理が実行されるまで何も表示しない。ＡＥ演算処理後は、外部ＬＣＤ１０９およびファインダ内ＬＣＤ４５に演算された最適シャッタ速度、絞り値など撮影に有用な情報を表示する。
【００１７】
ファインダ内ＬＣＤ４５は、その液晶パネルが表示した情報を照明する照明手段として緑色ＬＥＤ４７ａおよび赤色ＬＥＤ４７ｂを備えている。ＣＰＵ１１は、通常の撮影状態では緑色ＬＥＤ４７ａをオンするが、使用者に警告した方がよいとき、例えばシャッタ速度が手ブレ限界速度よりも遅いときなど、所定の警告時には赤色ＬＥＤ４７ｂの方をオンして赤色表示し、照明色の変化によって使用者に注意を促す。
【００１８】
さらにＣＰＵ１１には、モードダイヤル１２１の絵文字を光らせる照明手段としてのピクチャーモード表示ＬＥＤ５１（ピクチャーモード表示ＬＥＤ５１ａ〜５１ｈ）を独立して駆動するトランジスタＴrが接続されている。本発明の実施の形態ではＣＰＵ１１が表示制御手段として機能し、メインスイッチＳＷＭがオンしたときや、ベゼル１２５によっていずれかのプログラムモードが選択されたときなどに、それぞれ対応する形態でトランジスタＴrをオンして各ピクチャーモード表示ＬＥＤ５１ａ〜５１ｈを点灯して選択された撮影モードを表示する。
【００１９】
カメラボディ１０１にレンズＣＰＵ６３を備えた撮影レンズ６１が装着されているときは、ＣＰＵ１１はレンズＣＰＵ６３との間でレンズデータ通信を実行し、焦点距離、撮影レンズ６１がズームレンズの場合は現在の焦点距離、撮影距離（焦点調節レンズ群Ｌの位置）、開放絞り値などのレンズデータを入力する。レンズＣＰＵ６３は、焦点距離コード板６４を介して焦点距離を検知し、距離コード板６５を介して撮影距離（焦点調節レンズ群Ｌの位置）を検知し、カメラボディ１０１のＣＰＵ１１に通信する。
【００２０】
『モードダイヤル１２１の構成』
モードダイヤル１２１の構成について、図４、図５、図６および図７を参照してより詳細に説明する。図４の（Ａ）、（Ｂ）、（Ｃ）は、モードダイヤル１２１を構成する主要部品の正面（平面）図、図５はモードダイヤル１２１の分解斜視図、図６はカメラボディ１０１に搭載されたモードダイヤル１２１をほぼ中央で横方向に縦断してカメラボディ後方から見た断面図、図７はカメラボディ１０１に搭載されたモードダイヤル１２１をほぼ中央で前後方向に縦断してカメラボディ横方向から見た断面図である。
【００２１】
モード盤１２３の表面には、光る絵文字群１２３ａとして絵文字（アイコン）１２４ａ〜１２４ｈが形成され、光らない絵文字群１２３ｂとして絵文字１２４ｉ〜１２４ｍが形成されている。絵文字モード盤１２３は、半透明、例えば乳白色の合成樹脂盤で形成し、表面に黒塗装を施し、レーザ加工によって黒塗装をとばして光が通る絵文字１２４ａ〜１２４ｈをほぼ同心円上に沿って所定間隔で、ほぼ半分の領域に形成してある。モード盤１２３の表面にはさらに、絵文字１２４ａ〜１２４ｈの下部に、黒塗装の上に印刷によって光を透過しない絵文字１２４ｉ〜１２４ｍをほぼ同心円上に沿って所定間隔で形成してある。本実施例では、８個のプログラム露出モードを透光性の絵文字１２４ａ〜１２４ｈで表示し、５個のシャッタ優先モード、絞り優先モード、マニュアル露出モード、ＩＳＯ感度設定モードおよび合焦音有り／無し設定モードを遮光性の絵文字１２４ｉ〜１２４ｍで表示するように形成されている。絵文字１２４ａ〜１２４ｈは、両端の絵文字１２４ａ、１２４ｈが発光禁止オートピクチャモード（発光禁止自動選択撮影モード）、オートピクチャモード（自動選択撮影モード）を表示し、その間の絵文字１２４ｂ〜１２４ｇがそれぞれ、夜景モード、動体モード、近接モード、風景モード、人物モードおよび標準モードを表示している。また、絵文字１２４ｈは、オートピクチャーモードを識別するＡＵＴＯ／ＰＩＣＴの白抜き文字１２４ｈ１が透光性部分で形成され、これを囲む枠１２４ｈ２が印刷によって形成されている。なお、オートピクチャーモードとは、ＣＰＵ１１がレンズＣＰＵ６３から入力したレンズデータに基づき所定の演算を行い自動的にピクチャーモード（プログラム露出モード）を設定するモードである。
【００２２】
一方、ベゼル１２５は、その指標１２７が各絵文字１２４ａ〜１２４ｍを指し示す位置で停止できるクリックストップ機構が設けられている。そしてこのベゼル１２５が指し示す絵文字１２４ａ〜１２４ｍに対応するモードが選択されるように、ベゼル１２５に連動するモードダイヤルスイッチＳＷＭｏｄが設けられている。
【００２３】
ここで、オートピクチャモードは、動体モード、近接モード、風景モード、人物モードおよび標準モードの中から所定条件に適合したプログラム露出モードを選択するモードであり、このオートピクチャモードによって選択されたプログラム露出モードでは、被写体低輝度時などの場合には内蔵フラッシュ５３を自動発光させる。発光禁止オートピクチャモードは、プログラム露出モードの選択に関してはオートピクチャーモードと同一のモードであるが、選択したプログラム露出モードにおいて内蔵フラッシュのオートポップアップ、自動発光、外部ストロボの自動発光を禁止する点が相違するモードである。
【００２４】
モード盤１２３は、絵文字１２４ａ〜１２４ｈを照明する発光素子としてのＬＥＤ５１ａ〜５１ｈを保持するＬＥＤ盤１３５の表面に固定される（図６、７）参照）。ＬＥＤ盤１３５には、各絵文字１２４ａ〜１２４ｈに対向する位置にピット１３５ａ〜１３５ｈが形成されていて、各ピット１３５ａ〜１３５ｈ内に、フレキシブルプリント基板１３７上に直付けされたＬＥＤ５１ａ〜５１ｈが配置されている。フレキシブルプリント基板１３７はＬＥＤ盤１３５の背面に固定され、リード部がカメラボディ１０１内に引き回され、制御回路（ＣＰＵ１１）に接続されている。なお、ＬＥＤ盤１３５の背面にはＬＥＤ盤１３５の軸穴１３５ｉを共通軸穴とする軸部１３６が一体に形成されている。
【００２５】
さらにＬＥＤ盤１３５には、軸穴１３５ｉから、ピット１３５ａ〜１３５ｈを有さない領域に広がる扇形のクリックばね収容穴１３５ｊが形成されている。このクリックばね収容穴１３５ｊに、ベゼル１２５のクリックストップ機構を構成する、クリックばね（板ばね）１３１が収納され、クリックばね１３１の一端部が軸部１３６の上端面にねじ１６１によって固定されている（図７参照）。クリックばね１３１の一端部には一対の位置決め穴１３１ｂが形成され、クリックばね収容穴１３５ｊ内に位置する軸部１３６の端面にはこれらの位置決め穴１３１ｂが嵌合する一対の位置決めピン１３６ａが突設されている。位置決め穴１３１ｂを位置決めピン１３６ａに嵌合させることで、クリックばね１３１の位置決めおよび固定を容易にしている。このように本実施例では、ＬＥＤ盤１３５のピット１３５ａ〜１３５ｈを有さない領域にクリックばね１３１の装着を可能にしたので、モード表示ＬＥＤ５１とクリックばね１３１を略同一平面に位置させることが可能になり、省スペースを図ることが可能になった。
【００２６】
ベゼル１２５は、中心に軸穴１２６ａを有する底部１２６を備えた有底の円筒状に形成されている。そして底部１２６の上面に、複数のクリック穴１２５ａが同一円周上に所定間隔で形成されている。このクリック穴１２５ａと、クリックばね１３１に形成されたクリックボール穴１３１ａとの間に、クリックボール１３３が装着される（図７参照）。
【００２７】
底部１２６の下面には、ベゼル１２５の外径よりも細い細軸部１２６ｂが突出形成されている。この細軸部１２６ｂとベゼル１２５の底面周縁部とで形成される段部が、上飾り板１０３に形成された装着穴１０３ａに回動自在に嵌合される（図６、７参照）。装着穴１０３ａからボディ内に臨む細軸部１２６ｂの下端面には、抜け止め用のベゼル親板１４１およびブラシ１４３が、カメラボディ１０１内方から細軸部１２６ｂの下端面にねじ込まれるねじ１６５によって固定される。ベゼル１２５は、ベゼル親板１４１によって上飾り板１０３から抜け止めされた状態で、装着穴１０３ａの中心を軸心として自在に回転する。
【００２８】
ベゼル１２５の下方には、上面にコード板１４９が固定されたコード板台１４９が固定される。コード板台１４９の上面にはコード部１４８が固定されていて、このコード部１４８を、ベゼル１２５に固定されたブラシ１４３の接触片１４３ａ、１４３ｂが弾性的に接触し、ベゼル１２５が回転すると摺接する。
【００２９】
そしてベゼル１２５内に、カメラボディ１０１外側から、環状の絶縁スペーサ１３９を介してＬＥＤ盤１３５が装着される（図６、７参照）。したがって、いずれかのクリック穴１２５ａにクリックボール１３３を乗せた状態で、クリックばね１３１のクリックボール穴１３１ａからクリックボール１３３を見ながら位置合わせし、クリックばね１３１を固定したＬＥＤ盤１３５の軸部１３６を軸穴１２６ａに挿入できるので、クリックばね１３１およびクリックボール１３３の装着作業が容易になった。しかも、クリックばね１３１の付勢力は、ベゼル１２５とＬＥＤ盤１３５とを離反させる方向、つまり、ベゼル１２５を上飾り板１０３に押えつける方向に働くので、ベゼル１２５と上飾り板１０３との隙間が開き難く、ガタも防止される。
【００３０】
ＬＥＤ盤１３５は、上飾り板１０３に対する位置決めがされた後、軸部１３６の端面にボディの内方からコード板台１４９の穴１４９ａを貫通してねじ込まれたねじ１６３によって、コード板台１４９に固定される（図６参照）。
【００３１】
モード盤１２３には、背面中央に軸部１２３ｃが一定に形成されている。モード盤１２３は、カメラボディ１０１の外方から、この軸部１２３ｃをＬＥＤ盤１３５の軸穴１３５ｉを貫通させてＬＥＤ盤１３５上に、絵文字１２４ａ〜１２４ｈとピクチャーモード表示ＬＥＤ５１ａ〜５１ｈとが位置決めされた状態で乗せられる。そして、ＬＥＤ盤１３５の軸穴１３５ｉを貫通してモード盤１２３の軸部１２３ｃにねじ１６７がねじ込まれ、このねじ１６７によってモード盤１２３がＬＥＤ盤１３５に対して固定される。
【００３２】
以上の構成により、ベゼル１３５は、カメラボディ１０１の構造部材である上飾り板１０３に対してコード板台１４９を介して固定されたモード盤１２３およびＬＥＤ盤１３５の周囲を回転する。ここで、コード板台１４９の上面にはコード板１４７が固定されている。このコード板１４７は、同心円状のコード部１４８を備えていて、このコード部１４８上を、ブラシ１４３の接触片１４３ａ、１４３ｂが摺接する。接触片１４３ａ、１４３ｂは中心角で約９０度離反されている。コード部１４８は、３種類の異なる半径の導通部分を有し、これらが円周方向に所定間隔、所定の中心角範囲で分割されている。接触片１４３ａ、１４３ｂは、それぞれ異なる半径上に位置する３個の接触片を備えている。コード部１４８の一つは共通グランドであって、この共通グランドと他の４個のコード部とを接触片１４３ａ、１４３ｂによって導通させることで、４ビットの信号を形成している。つまり、コード部１４８の複数の導通部を接触片１４３ａ、１４３ｂによって導通させてコード部１４８の各コードに電位差を発生させ、コード部１４８の電位差の組合せで接触片１４３ａ、１４３ｂの位置、つまりＬＥＤ盤１３５の停止位置を検知できるように形成してある。本実施例では、ブラシ１４３とコード部１４８とで４ビットのモードダイヤルスイッチＳＷＭｏｄを構成している。なお、クリックばね１３１、クリックボール１３３およびクリック穴１２５ａからなるクリックストップ機構は、指標１２７が絵文字１２４ａ〜１２４ｍのいずれかを指し示す位置にクリックストップするように形成され、かつそれぞれのクリックストップ位置においてコード部１４８が異なる組合せの４ビット信号を生成するように形成されている。ＣＰＵ１１は、この４ビット信号を検知して、対応するピクチャーモード表示ＬＥＤ５１ａ〜５１ｈを点灯させる。このコード部１４８およびブラシ１４３が、モードダイヤルスイッチＳＷＭｏｄを構成している。
【００３３】
以上は、露出モードを選択することを主要機能とするモードダイヤル１２１の一例であるが、本発明は、シャッタ速度をマニュアル設定するいわゆるシャッタダイヤルに適用することができる。その表示の一実施例を図８に示した。この実施例ではモード表示盤１２３′上に、シャッタ速度の逆数のシャッタ速度群１２４ｓを透光性部として形成し、シャッタ速度オート、フラッシュ（Ｘ接点）同調速度Ｘおよびバルブの文字群１２４ｔを印刷によって形成してある。ベゼル１２５′の指標１２７′をシャッタ速度群１２４ｓの数字に合わせると、指標１２７′で指し示された数字のバックライト（ＬＥＤ）が点灯して数字が明るく光り、または浮き上がって見えるように構成されている。指標１２７′を文字群１２４ｔのシャッタ速度オートに合わせると、シャッタ速度群１２４ｓの数字のバックライトのうちＣＰＵ１１によりＡＥ演算結果に基づいて設定されたものが点灯して設定されたシャッタ速度を視認することができる。
【００３４】
また、図示実施例では表示部材としてのモード盤１２３の周囲を操作部材としてのベゼル１２５が回転する構成であるが、本発明はこれに限定されず、例えばベゼルの１２５の外側を囲むように絵文字１２４ａ〜１２４ｍを設けてもよい。また、光る絵文字群１２３ａ（絵文字１２４ａ〜１２４ｈ）はそれぞれ、ＬＥＤの射出面に直接描いてもよい。さらに、照明手段はＬＥＤに限定されない。
【００３５】
モードダイヤル１２１を備えた一眼レフカメラ（カメラボディ１０１）の動作について、図９から図１３に示したフローチャートを参照してより詳細に説明する。これらのフローチャートは、ＣＰＵ１１が、内蔵ＲＯＭに書き込まれたプログラムによって制御する処理である。
【００３６】
『メイン処理』
図９は、カメラボディ１０１のメイン処理であって、バッテリが装填されているときの処理である。バッテリ室にバッテリ１３が装填され、バッテリ蓋が閉じられると、ＣＰＵ１１は各入出力ポート、内蔵ＲＡＭなどを初期化し（Ｓ１１）、各入出力ポートに接続された周辺回路を初期化し（Ｓ１３）、基準タイマをスタートさせる（Ｓ１５）。以上の処理は、バッテリが装填されたときに入るが、バッテリが装填されている状態では、以下の処理を繰り返す。
【００３７】
まず、２５０ｍｓ（ミリ秒）インターバルタイマをスタートさせ（Ｓ１７）、各スイッチのオン／オフ状態を入力してメインスイッチＳＷＭがオンしているかどうかをチェックする（Ｓ１９、Ｓ２１）。２５０ｍｓインターバルタイマは、メインスイッチＳＷＭがオンしたかどうかをＣＰＵ１１が定期的にチェックする周期を設定するタイマである。
【００３８】
メインスイッチＳＷＭがオフしているときは（Ｓ２１；Ｎ）、外部ＬＣＤ１０９に電源オフ時の表示をし、ピクチャーモード表示ＬＥＤ５１を消灯させる（Ｓ２３、Ｓ２５）。そして２５０ｍｓ経過するのを待ち（Ｓ２７）、経過したら（Ｓ２７；Ｙ）、Ｓ１７に戻って再び２５０ｍｓインターバルタイマをスタートさせてＳ１９〜Ｓ２７の処理を繰り返す。以上のＳ１７〜Ｓ２７の処理を、メインスイッチＳＷＭがオフしている間繰り返す。
【００３９】
メインスイッチＳＷＭがオンすると（Ｓ２１；Ｙ）、前回メインスイッチＳＷＭがオフしていたかどうかをチェックし（Ｓ２９）、前回オフしていたら、つまりメインスイッチＳＷＭがオンされて１回目の処理のときは、ピクチャーモード表示ＬＥＤ５１の点灯によるオープニング表示処理を実行する（Ｓ２９；Ｙ、Ｓ３１）。オープニング表示処理は、詳細は後述するが、ピクチャーモード表示ＬＥＤ５１の各ＬＥＤ５１ａ〜５１ｈを所定のアルゴリズムで順番に点灯させ、消灯する（最後にベゼル１２５で選択されているプログラムモードに対応するピクチャーモード表示ＬＥＤ５１のみを点灯させる）表示処理である。メインスイッチＳＷＭが前回オフしていなければオープニング表示処理をスキップしてＳ３３に進む（Ｓ２９；Ｎ、Ｓ３３）。
【００４０】
Ｓ３３のステップでは、内蔵フラッシュポップアップ処理を実行する。内蔵フラッシュポップアップ処理とは、ここでは、強制ポップアップスイッチＳＷＰｕがオンしていればポップアップトランジスタＴｒ１をオンしてポップアップマグネットＰｕＭｇに通電し、内蔵フラッシュ５３の発光部１１１をポップアップさせる処理である。
【００４１】
ポップアップ検知スイッチＳＷＰｕｄがオンしていたら、つまり発光部１１１がポップアップしていたら、内蔵フラッシュ充電処理を実行してＳ３９に進み（Ｓ３５；Ｙ、Ｓ３７、Ｓ３９）、ポップアップ検知スイッチＳＷＰｕｄがオンしていなければ充電処理をスキップしてＳ３９に進む（Ｓ３５；Ｎ、Ｓ３９）。
【００４２】
Ｓ３９のステップでは、電源オン時のＬＣＤ表示処理を実行する。電源オン時のＬＣＤ表示処理では、外部ＬＣＤ１０９には、設定されたシャッタ速度などの撮影に有用な情報を表示し、ファインダ内ＬＣＤ４５には何も表示しない。
【００４３】
そして、測光スイッチＳＷＳ、レリーズスイッチＳＷＲがオンしているかどうかをチェックする（Ｓ４１、Ｓ４３）。いずれのスイッチもオンしていなければ（Ｓ４１；Ｎ、Ｓ４３；Ｎ）、モードダイヤルスイッチＳＷＭｏｄの状態が変化したかどうかをチェックし（Ｓ４５）、変化していなければＳ２７に戻る（Ｓ４５；Ｎ、Ｓ２７）。
【００４４】
測光スイッチＳＷＳまたはレリーズスイッチＳＷＲがオンしているか、若しくはモードダイヤルスイッチＳＷＭｏｄの状態が変化していれば、Ｓ４９に進む（Ｓ４１；Ｙ、Ｓ４９、またはＳ４３；Ｙ、Ｓ４９、若しくはＳ４５；Ｙ、Ｓ４９）。
【００４５】
Ｓ４９のステップでは、測光タイマ設定処理を実行する。この測光タイマ設定処理は、２５０ｍｓインターバルタイマよりも短いインターバルでスイッチチェック処理などを実行しながらレリーズスイッチＳＷＲがオンするのを待ち、所定回数スイッチチェック処理を実行してもレリーズスイッチＳＷＲがオンしないときにＳ１７のステップに戻るための、インターバルタイマおよびチェック回数を設定する処理である。本実施例のインターバルタイマは１２５ｍｓインターバルタイマであり、チェック回数は８０回であり、チェック回数はカウンター（ＣＯＵＮＴＥＲ）にセットされる。
【００４６】
測光タイマ設定処理を実行したら（Ｓ４９）、１２５ｍｓインターバルタイマをスタートさせる（Ｓ５１）。そして、各スイッチのオン／オフ状態を入力してメインスイッチＳＷＭがオンしているかどうかをチェックする（Ｓ５３、Ｓ５５）。メインスイッチＳＷＭがオフしているときは、Ｓ８９に抜けて発光禁止フラグをクリアし、ファインダ内ＬＣＤバックライトを消灯し（Ｓ９１）、ピクチャーモード表示ＬＥＤ５１を消灯して（Ｓ９３）、Ｓ１７に戻る。メインスイッチＳＷＭがオンしているときは、以下の処理を実行する。
【００４７】
まず、撮影レンズ６１から、開放Ｆ値、現在の焦点距離、内蔵フラッシュケラレ情報などのレンズデータを入力する（Ｓ５７）。測光ＩＣ４１から測光値（被写体輝度Ｂｖ）を入力し（Ｓ５９）、設定絞り値を入力する（Ｓ６１）。設定絞り値は、撮影レンズ６１の絞り環によって設定された絞り値を、絞り値検出ボリューム４３の抵抗値から検出する。撮影レンズ６１の絞り環がオート（Ａ）位置の場合は、絞り値検出ボリューム４３の抵抗値の情報は用いず、次のステップＳ６３で実行されるＡＥ演算処理において絞り値Ａｖを演算する。
【００４８】
次に、ＡＥ演算処理によってシャッタ速度Ｔｖおよび絞り値Ａｖを演算する（Ｓ６３）。ＡＥ演算処理では、詳細は後述するが、測光値、フィルム感度、露出補正値に基づいて、選択された露出モードに応じたアルゴリズムによって適正なシャッタ速度Ｔｖ、絞り値Ａｖを演算し、設定する。
【００４９】
設定したシャッタ速度Ｔｖおよび絞り値Ａｖに基づいて、内蔵フラッシュポップアップ処理を実行する（Ｓ６５）。内蔵フラッシュポップアップ処理は、内蔵フラッシュ５３の発光部１１１をポップアップするかどうか判断し、ポップアップする場合はポップアップマグネットＰｕＭｇに通電して発光部１１１をポップアップさせる処理である。次に内蔵フラッシュ５３の発光部１１１がポップアップしたかどうかをチェックし（Ｓ６７）、ポップアップしていれば内蔵フラッシュ５３に充電処理を実行させてＳ７１に進み（Ｓ６７；Ｙ、Ｓ６９、Ｓ７１）、ポップアップしていなければ充電処理をスキップしてＳ７１に進む（Ｓ６７；Ｎ、Ｓ７１）。
【００５０】
Ｓ７１のステップでは、ファインダ内ＬＣＤ４５、外部ＬＣＤ１０９の表示処理を実行する。このＬＣＤ表示処理では、外部ＬＣＤ１０９には、設定されたシャッタ速度などの撮影に有用な情報を表示し、ファインダ内ＬＣＤ４５には、合焦状態、設定されたシャッタ速度や、手ブレ警告、フラッシュ発光モードなど、使用者がファインダを介して被写体を観察しているときに有用な情報を表示する。
【００５１】
そして、ファインダ内ＬＣＤバックライト点灯処理を実行する（Ｓ７３）。この点灯処理では、詳細は後述するが、通常の撮影条件のときは緑色ＬＥＤ４７ａを点灯し、手ブレ警告、合焦できないときなど、警告を要するときは赤色ＬＥＤ４７ｂを点灯する。
さらに、ピクチャーモード表示点灯処理を実行する（Ｓ７５）。この表示点灯処理では、詳細は後述するが、オートピクチャーモード（自動選択モード）、または発光禁止オートピクチャーモード（発光禁止自動選択モード）が選択されていた場合に、Ｓ６３のＡＥ演算処理で選択されたプログラムモードに対応するピクチャーモード表示ＬＥＤ５１を点灯する処理である。
【００５２】
点灯処理が終了すると、ＣＣＤ３３を駆動して被写体像のビデオ信号を入力してＡＦモータ２９の駆動方向および駆動量を求めてＡＦモータ２９を駆動し、撮影レンズ６１の焦点調節レンズ群Ｌを合焦位置まで移動させるＡＦ処理を実行する（Ｓ７７）。
【００５３】
次に、レリーズスイッチＳＷＲがオンしているかどうかをチェックし（Ｓ７９）、オンしていればレリーズ処理を実行してＳ４９に戻る（Ｓ７９；Ｙ、Ｓ９５、Ｓ４９）。レリーズスイッチＳＷＲがオンしていなければ（Ｓ７９；Ｎ）、１２５ｍｓ経過したかどうか（１２５ｍｓインターバルタイマがタイムアップしたかどうか）をチェックし（Ｓ８１）、１２５ｍｓ経過するのを待つ。１２５ｍｓ経過したら（Ｓ８１；Ｙ）、カウンター（ＣＯＵＮＴＥＲ）が０になったかどうかをチェックし（Ｓ８３）、０になっていなければカウンターを１デクリメントしてＳ５３に戻る（Ｓ８３；Ｎ、Ｓ８５、Ｓ５３）。つまり、メインスイッチＳＷＭがオンでレリーズスイッチＳＷＲがオフの間は、初期値８０のカウンターの値が０になるまでＳ５３〜Ｓ８５の処理を８０回繰り返すのである。なお、８０回繰り返すと、１０秒（１２５（ｍｓ）×８０＝１０（ｓｅｃ．））経過する。
【００５４】
カウンターの値が０になったら（Ｓ８３；Ｙ）、測光スイッチＳＷＳがオンしているかどうかをチェックし（Ｓ８７）、測光スイッチＳＷＳがオンしていたらＳ５３に戻る（Ｓ８７；Ｙ）。つまり、１０秒経過しても、測光スイッチＳＷＳがオンの間は、Ｓ５３〜Ｓ８３、Ｓ８７、Ｓ５３の処理を繰り返すのである。測光スイッチＳＷＳがオンしていなかったら（Ｓ８７；Ｎ）、発光禁止フラグをクリアし（Ｓ８９）、ファインダ内ＬＣＤバックライトを消灯し（Ｓ９１）、ピクチャーモード表示ＬＥＤ５１を消灯してＳ１７に戻る（Ｓ９３、Ｓ１７）。ピクチャーモード表示ＬＥＤ５１の消灯とは、オートピクチャーモードまたは発光禁止オートピクチャーモードを選択している場合に、ＡＥ演算処理（Ｓ６３）で選択され、ピクチャーモード表示点灯処理（Ｓ７５）で点灯したプログラム露出モードに対応するピクチャーモード表示ＬＥＤ５１を消灯する処理である。
【００５５】
『オープニング表示処理』
メイン処理（図９）のＳ３１のステップで実行されるオープニング表示処理について、図１０に示したフローチャートを参照してより詳細に説明する。本実施の形態のオープニング表示処理は、メインスイッチＳＷＭがオンされたときに、モードダイヤル１２１によっていずれかのピクチャーモードの絵文字が選択されているときに、ピクチャーモード表示ＬＥＤ５１ａ〜５１ｈを一定のパターンで順番に規則的に、あるいはランダム（不規則）に点灯し、消灯させる処理である。パターンで点灯させるかランダムに点灯させるか、あるいは点灯させないかは、使用者が所定の操作をして選択し、選択結果をＥＥＰＲＯＭ３９に書き込む構成が望ましい。
また、本実施例では、パターン表示の場合は、ピクチャーモード表示ＬＥＤ５１ａ〜５１ｈを所定時間間隔で順番に点灯し、全部点灯したら所定時間待って、点灯した順番に所定時間間隔で順番に消灯し、最後にベゼル１２５で選択されているプログラム露出モードに対応するピクチャーモード表示ＬＥＤ５１ａ〜５１ｈを点灯させることに特徴を有する。なお、本実施例では、ベゼル１２５によってプログラム露出モード以外のモード、例えばシャッタ優先露出モード、絞り優先露出モード、マニュアル露出モード、またはＩＳＯ感度設定モード、合焦音有り／無し設定モードが選択されているときはなにも点灯させない。
【００５６】
オープニング表示処理に入ると、まず、レンズ判別ＯＫかどうか、つまり装着された撮影レンズがＣＰＵを搭載したピクチャーモード選択可能なレンズかどうかをチェックする（Ｓ１０１）、レンズ判別ＯＫでなければそのままリターンし（Ｓ１０１；Ｎ）、レンズ判別ＯＫであればピクチャーモードのいずれかが選択されているかどうかをチェックする（Ｓ１０１；Ｙ、Ｓ１０３）。ピクチャーモードが選択されていなければそのままリターンし（１０３；Ｎ）、ピクチャーモードが選択されているときは、オープニング表示有りか否かをチェックする（Ｓ１０３；Ｙ、Ｓ１０５）。オープニング表示有りでなければそのままリターンし（Ｓ１０５；Ｎ）、オープニング表示有りであればパターン表示か否かをチェックする（Ｓ１０５；Ｙ、Ｓ１０７）。パターン表示が選択されていればパターン表示を実行するＳ１１１に進み（Ｓ１０７；Ｙ、Ｓ１１１）、パターン表示が選択されていなければランダム表示なのでランダム表示を実行するＳ１５１に進む（Ｓ１０７；Ｎ、Ｓ１５１）。
【００５７】
パターン表示が選択されている場合は（Ｓ１０７；Ｙ）、５０ｍｓインターバルタイマをスタートさせ、変数ｎに０をセットする（Ｓ１１１、Ｓ１１３）。５０ｍｓインターバルタイマは、ピクチャーモード表示ＬＥＤ５１を点灯、消灯させる時間間隔の基準単位となるタイマであり、変数ｎは、ピクチャーモード表示ＬＥＤ５１を点灯させる点灯データを指定する値である。変数ｎの値と点灯データと点灯データの内容、つまり点灯させるピクチャーモード表示ＬＥＤ５１との関係を表にして、表１に示した。本実施例では、ｎは０〜２３まで２４個設定され、点灯データは１５個設定されている。表１において、黒丸は点灯することを示している。なおこの表のデータは、予めＥＥＰＲＯＭ３９に書き込まれていて、ＣＰＵ１１は、変数ｎに対応する点灯データ（アドレス）のデータを読み込む。本実施例の各点灯データは８ビットからなり、各位の１ビットデータがピクチャーモード表示ＬＥＤ５１ａ〜５１ｈのオン／オフを指示している。
【００５８】
【表１】
0003542928.tif 000002
【００５９】
次に、各スイッチのオン／オフ状態を入力し（Ｓ１１５）、スイッチ変化があったかどうかをチェックし（Ｓ１１７）、スイッチ変化がなければｎ番目のデータをＥＥＰＲＯＭ３９から読み込んで、このデータに基づいてピクチャーモード表示ＬＥＤ５１を点灯させる（Ｓ１１９）。そして５０ｍｓ経過したかどうかをチェックし、５０ｍｓ経過していなければＳ１１５に戻る（Ｓ１２１；Ｎ、Ｓ１１５）。５０ｍｓ経過する前にスイッチ変化があったときはＳ１３７に飛んで、ピクチャモード表示ＬＥＤ５１をすべて消灯させてリターンする（Ｓ１１７；Ｙ、Ｓ１３７）。
【００６０】
５０ｍｓ経過したときは、変数ｎを１インクリメントし、ｎが点灯テーブルで設定された個数を越えたかどうかをチェックする（Ｓ１２１；Ｙ、Ｓ１２３、Ｓ１２５）。変数ｎがテーブル個数以下のときはＳ１１５に戻る（Ｓ１２５；Ｎ）。そして、Ｓ１１９のステップで、変数ｎに対応する点灯データを３９から読み込んでその点灯データに基づいてピクチャーモード表示ＬＥＤ５１を点灯させる。以上のＳ１１５〜Ｓ１２５の処理を繰り返して、ピクチャーモード表示ＬＥＤ５１ａから５１ｈまで５０ｍｓ間隔で順番に点灯させる。そして、ピクチャーモード表示ＬＥＤ５１の全ての点灯を、５０ｍｓ×１０＝５００ｍｓ維持してから、今度は点灯させた順に５０ｍｓ間隔で消灯させる。なお、点灯間隔、全点灯時間、消灯間隔はこの時間に限定されず、点灯、消灯させる順番もこの逆でもよい。
【００６１】
変数ｎが点灯テーブル個数よりも大きくなったら、モードダイヤルスイッチＳＷＭｏｄにより現在選択されているモードに対応するピクチャーモード表示ＬＥＤ５１を点灯させ（Ｓ１２５；Ｙ、Ｓ１２７）、１ｓｅｃタイマをスタートさせる（Ｓ１２９）。そして、各スイッチのオン／オフ状態を入力し（Ｓ１３１）、スイッチ変化があったかどうかをチェックし（Ｓ１３３）、スイッチ変化がなければ１秒経過したかどうかをチェックして１秒経過していなければＳ１３１に戻る（Ｓ１３３；Ｎ、Ｓ１３５；Ｎ、Ｓ１３１）。スイッチ変化があったとき（Ｓ１３３；Ｙ）、または１秒経過したとき（Ｓ１３５；Ｙ）はＳ１３７に進み、全てのピクチャーモード表示ＬＥＤ５１を消灯させてリターンする（Ｓ１３７）。
【００６２】
以上の１０１〜Ｓ１３７の処理によって、ピクチャーモード表示ＬＥＤ５１のピクチャーモード表示ＬＥＤ５１ａ〜５１ｈが５１ａから順番（図１、図４において右回り）に５０ｍｓ経過毎に１個づつ点灯し、全て点灯した状態を５００ｍｓ維持し、その後ピクチャーモード表示ＬＥＤ５１ａから順番に５０ｍｓ経過毎に１個づつ消灯する。そして、全て消灯したら、モードダイヤル１２１で選択されたプログラム露出モードに対応するピクチャーモード表示ＬＥＤ５１を１秒間点灯した後に消灯する。これにより、使用者は、電源がオンしたことを視覚的に知ることができ、また設定されているモードを視認しやすい。
【００６３】
次に、ランダムにピクチャーモード表示ＬＥＤ５１を点灯させ、消灯させるランダム表示が選択されている場合（Ｓ１０７；Ｎ）の処理について、表２を参照して説明する。この表示形態は、ピクチャーモード表示ＬＥＤ５１ａから５１ｈの１個を所定時間間隔でランダムに点灯させることに特徴を有する。本実施例では、ピクチャーモード表示ＬＥＤ５１ａ〜５１ｈの個数に対応させて０〜７の８個の点灯データを設定し、設定した点灯データを予めＥＥＰＲＯＭ３９に書き込んである。そして、０〜７までの数字の中から１個の数字を所定の乱数生成アルゴリズムで生成して、生成した乱数の点灯データをＥＥＰＲＯＭ３９から読み込んで対応するピクチャーモード表示ＬＥＤ５１を点灯させる構成である。変数ｎの値と点灯データと点灯データの内容、つまり点灯させるピクチャーモード表示ＬＥＤ５１との関係を表２に示した。
【００６４】
【表２】
0003542928.tif 000003
【００６５】
このオープニング処理に入ると、５０ｍｓインターバルタイマをスタートさせ、変数ｎに４０をセットする（Ｓ１５１、Ｓ１５３）。次に、基準タイマのタイマ値に基づいて、０〜７の数字の中から１個の数字を所定の乱数生成アルゴリズムによって生成する（Ｓ１５５）。そして、生成した乱数に対応する点灯データをＥＥＰＲＯＭ３９から読み込んで、対応するピクチャーモード表示ＬＥＤ５１を点灯させ、各スイッチのオン／オフ状態を入力して、スイッチ変化があったかどうかをチェックする（Ｓ１５７、Ｓ１５９、Ｓ１６１）。スイッチ変化がなければ、５０ｍｓ経過したかどうかをチェックし、５０ｍｓ経過していなければＳ１５９に戻る（Ｓ１６１；Ｎ、Ｓ１６３；Ｎ、Ｓ１５９）。スイッチ変化があったときはＳ１７７に飛んで、全ピクチャーモード表示ＬＥＤ５１を消灯させてリターンする（Ｓ１６１；Ｙ、Ｓ１７７）。
【００６６】
５０ｍｓ経過したときは、変数ｎを１デクリメントし（Ｓ１６３；Ｙ、Ｓ１６５）、変数ｎが０になったかどうかをチェックし、０になっていなければＳ１５５に戻り、基準タイマのタイマ値に基づいて０〜７の数字の中から１個の乱数を生成し、生成した乱数に対応する点灯データをＥＥＰＲＯＭ３９から読み込んで、対応するピクチャーモード表示ＬＥＤ５１を点灯させる（Ｓ１５７）処理を繰り返す（Ｓ１６７；Ｎ、Ｓ１５５〜Ｓ１６７）。
【００６７】
変数ｎが０になったら、つまりピクチャーモード表示ＬＥＤ５１ａ〜５１ｈの１個をランダムに５０ｍｓ単位で点灯させる処理を４０回繰り返したら、１ｓｅｃタイマをスタートさせる（Ｓ１６７；Ｙ、Ｓ１６９）。そして、１秒経過したら全てのピクチャーモード表示ＬＥＤ５１を消灯させてリターンする（Ｓ１７５；Ｙ、Ｓ１７７）。つまり、最後のＳ１５７で点灯させたピクチャーモード表示ＬＥＤ５１の点灯を１秒間維持した後これを消灯させる。なお、１ｓｅｃタイマスタート後１秒経過する前にスイッチ変化があったときは（Ｓ１７１；Ｓ１７３；Ｙ）、直ちに全てのピクチャーモード表示ＬＥＤ５１を消灯させてリターンする（Ｓ１７３；Ｙ、Ｓ１７７）。
【００６８】
このランダムオープニング表示処理によれば、メインスイッチＳＷＭをオンする毎に、ピクチャーモード表示ＬＥＤ５１がランダムに１個ずつ点灯／消灯を繰り返して、電源がオンしたことを視覚的に使用者に知らせることができる。
【００６９】
『ＡＥ演算処理』
メイン処理（図９）のＳ６３のステップで実行されるＡＥ演算処理について、図１１を参照してより詳細に説明する。
このＡＥ演算処理に入るとまず、手ぶれ速以下フラグ等ＡＥ演算処理に関係するフラグをすべてクリアする（Ｓ３０１）。ＣＰＵ１１は、レンズＣＰＵ６３との間で、所定のレンズ通信をステップＳ５７で実行しており、開放絞り値、最小絞り値等のレンズデータを用いて補正を行う（Ｓ３０３）。次に、測光ＩＣ４１から入力した測光信号に基づいて、各測光エリア毎に被写体輝度を算出し（Ｓ３０５）、分割測光アルゴリズムによって露出値Ｌｖ´を算出する（Ｓ３０７）。そして、フィルム感度Ｓｖ、露出補正値Ｘｖ、露出値Ｌｖ´に基づいて、制御用露出値Ｌｖを算出する（Ｓ３０９）。
【００７０】
そして、詳細は後述するが、モードダイヤル１２１によって選択された露出モードを設定するオートピクチャー設定処理を実行する（Ｓ３１１）。さらに、内蔵フラッシュ５３のケラレ情報および外部フラッシュ７１のケラレ情報と、装着された撮影レンズ情報とに基づいて、それぞれフラッシュ光がレンズ鏡筒によってケラレるかどうかを判定する（Ｓ３１３）。ここでケラレとは、フラッシュ光の一部が、装着されたレンズ鏡筒により遮られてしまい、撮影画面の中央下部にフラッシュ光が届かず、レンズ鏡筒の影が出てしまうことをいう。本実施の形態では、このような失敗を防ぐために、外部フラッシュ７１、内蔵フラッシュ５３についてケラレを生じると判定したときは、外付ケラレ、内ケラレが有る旨をＣＰＵ１１の内蔵ＲＡＭに設定し、後述の自動発光判断処理において、フラッシュを発光させないようにする。
【００７１】
次に、自動発光判断処理を実行する（Ｓ３１５）。詳細は後述するが、自動発光判断処理においてオートフラッシュ発光許可フラグがセットされると、プログラム演算処理においてＣＰＵ１１が所定条件に基づいてフラッシュを発光させるか否か判断して、フラッシュを発光させると判断したときには、レリーズ処理（Ｓ９５）の際に内蔵フラッシュ５３または外部フラッシュ７１を発光させる。
【００７２】
オートフラッシュ発光許可フラグがセットされていないときは、フラッシュを発光させない定常光プログラム演算を実行してシャッタ速度および絞り値を求め（Ｓ３１７；Ｎ、Ｓ３２１）、オートフラッシュ発光許可フラグがセットされているときは、所定の条件を満たしたときにフラッシュを発光させるフラッシュプログラム演算処理を実行して適正シャッタ速度および絞り値を求め（Ｓ３１７；Ｙ、Ｓ３１９）、手ぶれ速以下判定処理を実行する。
【００７３】
手ぶれ速以下判定処理では、定常光プログラム演算処理またはフラッシュプログラム演算処理で求めたシャッタ速度が手ぶれ限界速度より遅いかどうかを判定する。シャッタ速度が手ぶれ限界速度より遅い場合には、Ｓ７３のファインダ内ＬＣＤバックライト点灯処理で赤色ＬＥＤ４７ｂを点灯させる。
【００７４】
『オートピクチャー設定処理』
ＡＥ演算処理（図１１）のＳ３１１のステップで実行されるオートピクチャー設定処理について、図１２に示したフローチャートを参照して詳細に説明する。この処理は、モードダイヤルスイッチＳＷＭｏｄによってオートピクチャーモードまたは発光禁止オートピクチャーモードが選択されている場合に、撮影距離、撮影倍率、および動体検知情報に基づいて、人物モード、風景モード、近接モード、動体モードおよびそれ以外の標準モードの中から最適なプログラムモード（プログラムライン）を選択する処理である。なお、ここで、撮影距離は、メイン処理（図９）のＳ５３のレンズデータ入力処理で得た撮影レンズ６１の焦点調節レンズ群Ｌ位置から求めた値、撮影倍率は撮影レンズ６１の焦点距離および撮影距離（焦点調節レンズ群Ｌの位置）から求めた値である。
【００７５】
本実施例の撮影レンズ６１は、焦点調節レンズ群Ｌの位置を、最短撮影位置から無限遠撮影位置までの間を複数の領域に分割して検出し、カメラボディ１０１のＣＰＵ１１に出力し、ＣＰＵ１１は、入力した領域を至近距離領域から無限遠領域までの８個の距離コード（ｄｖｃｏｄｅ）０〜７に変換するなお、ｄｖｃｏｄｅはコード板１４７、１４８の構成から以下のように設定されている。
距離コード
７                        近
６                        ・
４                        ・
５                        ・
１                        ・
０                        ・
２                        ・
３                        無限遠
【００７６】
動体検知情報は、メイン処理（図９）のＳ７７のＡＦ処理において、ＣＣＤ３３を介して検出した被写体のデフォーカス量に基づいて演算した合焦位置まで焦点調節レンズ群Ｌを移動しても合焦しない状態が複数回連続したときに被写体が移動していると判定する情報である。
本実施例では、被写体輝度、撮影距離、撮影倍率を、アペックスシステム値であるＢｖ、Ｄｖ、Ｍｖ値に変換して処理している。
【００７７】
オートピクチャー設定処理に入ると、まず、オートピクチャーモードまたは発光禁止オートピクチャーモードのいずれかが選択されているかどうかをチェックする（Ｓ４０１）。いずれも選択されていなければリターンする（Ｓ４０１；Ｎ）。いずれかが選択されていたら（Ｓ４０１；Ｙ）、まず、ピクトモードに標準モードを選択する０を設定する（Ｓ４０３）。本実施例では、標準モード、人物モード、風景モード、近接モードおよび動体モードそれぞれにピクトモード（ｐｉｃｔｍｏｄｅ）０、１、２、３、４を割り振ってある。
【００７８】
次に、装着された撮影レンズがレンズＣＰＵを備えたレンズ（オートピクチャーモードに対応したレンズ）であるかどうかをチェックし（Ｓ４０５）、レンズＣＰＵを備えていないレンズであればピクトモードは標準モードを選択する０のままリターンする（Ｓ４０５；Ｎ）。レンズＣＰＵを備えたレンズであれば（Ｓ４０５；Ｙ）、レンズデータ入力処理で入力したレンズデータに基づいて、撮影倍率Ｍｖ、距離コード（ｄｖｃｏｄｅ）を算出する（Ｓ４０７）。
なお、撮影倍率Ｍｖは、ｌｏｇ２（撮影距離／焦点距離）によって求まる値である。
【００７９】
そして、距離コード（ｄｖｃｏｄｅ）が７かどうか（Ｓ４０９）、つまり最短撮影距離領域に焦点調節レンズ群Ｌが位置しているかどうかをチェックし、最短撮影距離領域に位置していたらピクトモード（ｐｉｃｔｍｏｄｅ）に近接撮影モードを選択する３を設定してリターンする（Ｓ４０９；Ｙ、Ｓ４１１）。
【００８０】
ｄｖｃｏｄｅが７でなければ（Ｓ４０９；Ｎ）、撮影倍率Ｍｖが４未満であるかどうかをチェックし（Ｓ４１３）、４未満でなければ（Ｓ４１３；Ｎ）、動体検知しているかどうかをチェックし（Ｓ４１５）、動体である旨を検知していれば（Ｓ４１５；Ｙ）動体モードが許可されているかどうかをチェックし（Ｓ４１７）、許可されていればピクトモード（ｐｉｃｔｍｏｄｅ）に動体モードを選択する４を設定してリターンする（Ｓ４１７；Ｙ、Ｓ４１９）。
【００８１】
撮影倍率Ｍｖが４未満であるか（Ｓ４１３；Ｙ）、動体検知していなければ（Ｓ４１５；Ｎ）、ｄｖｃｏｄｅが３かどうか（Ｓ４２１）、つまり被写体が無限遠領域に位置しているかどうかをチェックする。そして、距離コード（ｄｖｃｏｄｅ）が３であれば、ピクトモード（ｐｉｃｔｍｏｄｅ）に風景モードを選択する２を設定してリターンする（Ｓ４２１；Ｙ、Ｓ４２３）。
【００８２】
距離コード（ｄｖｃｏｄｅ）が３でなければ（Ｓ４２１；Ｎ）、撮影倍率Ｍｖが６以上であるかどうかをチェックし（Ｓ４２５）、６以上であれば距離コード（ｄｖｃｏｄｅ）が２であるかどうかをチェックする（Ｓ４２５；Ｙ、Ｓ４２７）。距離コード（ｄｖｃｏｄｅ）２は、無限遠領域の一つ手前の遠距離領域である。距離コード（ｄｖｃｏｄｅ）２であればピクトモード（ｐｉｃｔｍｏｄｅ）に風景モードを選択する２を設定してリターンし（Ｓ４２７；Ｙ、Ｓ４２９）、距離コード（ｄｖｃｏｄｅ）２でなければピクトモードは標準モードを選択する０のままリターンする（Ｓ４２７；Ｎ）。
【００８３】
撮影倍率Ｍｖが６を越えていなければ（Ｓ４２５；Ｎ）、撮影倍率Ｍｖが４以上６以下であるかどうかをチェックし（Ｓ４３１）、撮影倍率Ｍｖがこの範囲内にあればピクトモード（ｐｉｃｔｍｏｄｅ）に人物モードを選択する１を設定してリターンし（Ｓ４３１；Ｙ、Ｓ４３３）、この範囲内になければピクトモードは標準モードを選択する０のままリターンする（Ｓ４３１；Ｎ）。
【００８４】
以上の処理によって、撮影条件に応じて標準モード、近接モード、動体モード、風景モード、人物モードおよびそれ以外の標準モードのいずれかのプログラム露出モード（ピクトモード）が選択される。なお、各モードのアルゴリズム、プログラム線図は図示しないが、標準モードに対して、動体モードではシャッタ速度を高速化するなどの特徴を有する。
そして、選択されたピクトモード（ｐｉｃｔｍｏｄｅ）によって、Ｓ３２１の定常光プログラム演算またはＳ３１９のフラッシュプログラム演算処理がなされ、適正なシャッタ速度および絞り値が設定される。
【００８５】
『ピクチャーモード表示点灯処理』
メイン処理（図９）のＳ７５のステップで実行されるピクチャーモード表示点灯処理について、図１３に示したフローチャートを参照してより詳細に説明する。この処理は、ベゼル１２５（ピクチャーモードスイッチ）で選択されたプログラム露出モードがオートピクチャーモード、発光禁止オートピクチャーモード、標準モード、人物モード、風景モード、近接モード、動体モード、夜景モードのいずれかであればそれぞれ対応するピクチャーモード表示ＬＥＤ５１ｈ、５１ａ、５１ｇ、５１ｆ、５１ｅ、５１ｄ、５１ｃ、５１ｂを点灯させる。さらにオートピクチャーまたは発光禁止オートピクチャーが選択されている場合は、オートピクチャー選択モードで選択されたプログラム露出モードに対応するピクチャーモード表示ＬＥＤ５１を点灯させることに特徴を有する。なお、絞り優先露出モード、シャッタ速度優先露出モード、マニュアル露出モードのいずれかが選択された場合は、本実施例では点灯させない。また、本実施の形態では、発光禁止オートピクチャーモード表示ＬＥＤ５１ａと、オートピクチャーモード表示ＬＥＤ５１ｈと、他の表示ＬＥＤ５１ｂ〜５１ｇとは、異なる発光色のＬＥＤを使用して識別性を向上させている。特に発光禁止オートピクチャーモード表示ＬＥＤ５１ａは、発光禁止である旨を警告する色、例えば赤色が適していて、オートピクチャーモード表示ＬＥＤ５１ｈは緑色、オートピクチャーモードで選択されない夜景モード表示ＬＥＤ５１ｂは橙色、他の表示ＬＥＤ５１ｃ〜５１ｇは黄色、などの色が適しているが、この配色に限定されない。
【００８６】
ピクチャーモード表示点灯処理に入ると、モードダイヤルスイッチＳＷＭｏｄによって選択されているモードがオートピクチャーモード、発光禁止オートピクチャーモード、標準モード、人物モード、風景モード、近接モード、動体モード、夜景モードのいずれであるかを順番にチェックする（Ｓ５０１、Ｓ５０５、Ｓ５１１、Ｓ５１５、Ｓ５１９、Ｓ５２３、Ｓ５２７、Ｓ５３１）。
【００８７】
オートピクチャーモードが選択されているときはオートピクチャーモード表示ＬＥＤ５１ｈを点灯させ（Ｓ５０１；Ｙ、Ｓ５０３）、さらにＡＥ演算結果によって選択されたピクチャーモード（プログラム露出モード）を選択し（Ｓ５０９）、選択したピクチャーモードに対応するピクチャーモード表示ＬＥＤ５１ｃ〜５１ｇを点灯させてリターンする（Ｓ５１３、Ｓ５１７、Ｓ５２５、Ｓ５２９、Ｓ５３３）。
【００８８】
同様に発光禁止オートピクチャーモードが選択されているときは発光禁止オートピクチャーモード表示ＬＥＤ５１ａを点灯させ（Ｓ５０５；Ｙ、Ｓ５０７）、さらにＡＥ演算結果によって選択されたピクチャーモード（プログラム露出モード）を選択し（Ｓ５０９）、選択したピクチャーモードに対応するＬＥＤ５１ｃ〜５１ｇを点灯させてリターンする（Ｓ５１３、Ｓ５１７、Ｓ５２５、Ｓ５２９、Ｓ５３３）。
【００８９】
以上の処理によって、オートピクチャーモード、または発光禁止オートピクチャーモードが選択されている場合は、オートピクチャーモード表示ＬＥＤ５１ｈまたは発光禁止オートピクチャーモード表示ＬＥＤ５１ａと、実際に選択されたプログラム露出モードを示すＬＥＤ５１ｃ〜５１ｇの２個のＬＥＤが点灯するので、使用者は自動選択されたプログラム露出モードを絵文字１２４ａ、１２４ｃ〜１２４ｈの点灯状態によって知ることができる。
【００９０】
また、オートピクチャーモードまたは発光禁止オートピクチャーモードが選択されていなくベゼル１２５により標準モードが選択されている場合は標準モード表示ＬＥＤ５１ｇを点灯させてリターンし（Ｓ５１１；Ｙ、Ｓ５１３）、人物モードが選択されているときは人物モード表示ＬＥＤ５１ｆを点灯させてリターンし（Ｓ５１５；Ｙ、Ｓ５１７）、風景モードが選択されているときは風景モード表示ＬＥＤ５１ｅを点灯させてリターンし（Ｓ５１９；Ｙ、Ｓ５２５）、近接モードが選択されているときは近接モード表示ＬＥＤ５１ｄを点灯させてリターンし（Ｓ５２３；Ｙ、Ｓ５２９）、動体モードが選択されているときは動体モード表示ＬＥＤ５１ｃを点灯させてリターンし（Ｓ５２７；Ｙ、Ｓ５３３）、夜景モードが選択されているときは夜景モード表示ＬＥＤ５１ｂを点灯させてリターンし（Ｓ５３１；Ｙ５３５）、以上のモードのいずれも選択されていないときは全てのモード表示ＬＥＤ５１ａ〜５１ｈを消灯させてリターンする（Ｓ５３１；Ｎ、Ｓ５３７）。
【００９１】
オープニング表示をさせるかさせないか、オープニング表示させるときはパターン（規則的）表示させるかランダム（不規則）表示させるかを切り換えるオープニング表示切換処理について、図１４に示したフローチャートを参照して説明する。このオープニング表示切換処理は、メイン処理（図９）のＳ１１のステップで実行されるＣＰＵ初期化処理の一つである。つまり、バッテリ１３が装着される毎に１回実行され、オープニング表示有り／無し、またはパターン表示／ランダム表示を切り換えるトグル処理である。
【００９２】
オープニング表示切換処理に入ると、ベゼル１２５の指標１２７が合焦音有／無設定位置（第一の絵文字である絵文字１２４ｍを指し示す位置）にあるか否か、つまりモードダイヤル１２１によって合焦音有／無設定モードが選択されているか否かをチェックする（Ｓ１１０１）。ベゼル１２５が合焦音有／無設定位置にあれば、現設定が、表示有りかどうかをチェックし（Ｓ１１０１；Ｙ、Ｓ１１０３）、表示有りが設定されていたら設定を表示無しに変更し（Ｓ１１０３；Ｙ、Ｓ１１０５）、表示有りが設定されていなければ、つまり表示無しが設定されていたら設定を表示有りに変更してリターンする（Ｓ１１０３；Ｎ、Ｓ１１０７）。
【００９３】
ベゼル１２５の指標１２７が合焦音有／無設定位置（絵文字１２４ｍを指し示す位置）になければ（Ｓ１１０９；Ｎ）、指標１２７がＩＳＯ設定位置（第二の絵文字である絵文字１２４ｌを指し示す位置）にあるかどうか、つまりモードダイヤル１２１によってＩＳＯ設定モードが選択されているかどうかをチェックし（Ｓ１１０１；Ｎ、Ｓ１１０９）、ＩＳＯ設定位置になければそのままリターンする（Ｓ１１０９；Ｙ）。ＩＳＯ設定位置にあれば、現設定がパターン表示であるかどうかをチェックし（Ｓ１１０９；Ｙ、Ｓ１１１１）、パターン設定であれば設定をランダム設定に変更してリターンし（Ｓ１１１１；Ｙ、Ｓ１１１３）、パターン設定でなければ、つまりランダム設定であればパターン設定に変更してリターンする（Ｓ１１１１；Ｎ、Ｓ１１１５）。
【００９４】
以上の通りこのオープニング表示切換処理によれば、モードダイヤル１２１を合焦音有／無設定絵文字１２４ｍ選択位置に回してバッテリ１３を抜き差しすると、その度にオープニング表示有り、オープニング表示無しが切り替わり、モードダイヤル１２１をＩＳＯ設定絵文字１２４ｌ選択位置に回してバッテリ１３を抜き差しすると、その度にパターン表示とランダム表示とが切り換わる。オープニング表示有りまたはオープニング表示無し、およびパターン表示またはランダム表示の設定はそれぞれ所定のフラグとして設定することが可能であり、本実施例ではこれらのフラグをＥＥＰＲＯＭ３９の所定アドレスに書き込み、所定の処理時に読み込んで使用する。
【００９５】
【発明の効果】
以上の説明から明らかな通り本発明によれば、カメラの電源がオンされたときには、電源がオン状態のときとは異なる特有の表示態様で表示手段を駆動するので、使用者に電源がオンしたことを明確に知らせることができるとともに、その表示態様に応じて所望の情報を知らせることができ、さらに視覚的に使用者が楽しむことができる。
また、本発明は、複数の絵文字が表示された表示部材と、指標が指し示す絵文字に対応するモード、機能などを選択する操作部材と、操作部材の指標によって指し示された絵文字を照明する照明手段を備え、照明手段を、電源がオンされたときには特有の表示態様で点灯制御させることができるので、使用者は電源がオンしたことを容易に知ることができる。
さらに本発明は、使用者に注意を促したいモード、機能が選択されているときに電源オン時に異なる表示態様で点灯制御できるので、モード選択ミスや選択したモード誤認による撮影の失敗を予防できる。
【図面の簡単な説明】
【図１】本発明を適用した一眼レフカメラのカメラボディの一実施の形態を示す斜視図である。
【図２】同一眼レフカメラの制御系の回路構成の一実施例をブロックで示す図である。
【図３】同一眼レフカメラに撮影レンズを装着した状態の主要構成部材をブロックで模式的に示す図である。
【図４】同カメラボディに搭載されたモードダイヤルの一実施例の主要構成部品を分解して（Ａ）、（Ｂ）、（Ｃ）に示す正面（平面）図である。
【図５】同モードダイヤルの分解斜視図である。
【図６】同カメラボディに装着されたモードダイヤルをほぼ中央で横方向に縦断してカメラボディ後方から見た断面図である。
【図７】同カメラボディに搭載されたモードダイヤルをほぼ中央で前後方向に縦断してカメラボディ横方向から見た断面図である。
【図８】本発明をシャッタダイヤルに適用した実施例を示すシャッタダイヤルの正面（平面）図である。
【図９】同一眼レフカメラのカメラ動作に関するメイン処理の一実施例をフローチャートで示す図である。
【図１０】同一眼レフカメラのオープニング表示処理をフローチャートで示す図である。
【図１１】同一眼レフカメラのＡＥ演算処理をフローチャートで示す図である。
【図１２】同一眼レフカメラのオートピクチャー設定処理をフローチャートで示す図である。
【図１３】同一眼レフカメラのピクチャーモード表示点灯処理をフローチャートで示す図である。
【図１４】同一眼レフカメラのオープニング表示切換処理をフローチャートで示す図である。
【符号の説明】
１１  ＣＰＵ
１５  電圧レギュレータ
１７  発振子
１９  ２３  ２７  モータドライバＩＣ
２１  メカチャージモータ
２５  フィルムモータ
２９  ＡＦモータ
３１  ＡＦ用フォトインタラプタ
３３  ＣＣＤ
３５  シャッタ回路
３７  絞り制御回路
３９  ＥＥＰＲＯＭ
４１  測光用ＩＣ
４５  ファインダ内ＬＣＤ
４７ａ  緑色ＬＥＤ
４７ｂ  赤色ＬＥＤ
５１  ピクチャーモード表示ＬＥＤ
５１ａ〜５１ｈ  ピクチャーモード表示ＬＥＤ
５３  内蔵フラッシュ
６３  レンズＣＰＵ
１０１  カメラボディ
１０３  上飾り板
１０５  レリーズボタン
１０７  メインスイッチボタン
１０９  外部ＬＣＤ
１１１  発光部（外飾枠）
１１３  アクセサリーシュー
１１５  ボディマウント
１１７  ボディ接点群
１２１  モードダイヤル
１２３  モード盤（表示板）
１２４ａ〜１２４ｈ  絵文字
１２４ｉ〜１２４  ｍ絵文字
１２５  ベゼル
１３５  ＬＥＤ盤
１３５ａ〜１３５ｈ  ピット
ＳＷＭ  メインスイッチ
ＳＷＳ  測光スイッチ
ＳＷＲ  レリーズスイッチ
ＳＷＰｕ  強制ポップアップスイッチ
ＳＷＰｕｄ  ポップアップ検知スイッチ
ＳＷＭｏｄ  モードダイアルスイッチ
ＰｕＭｇ  ポップアップマグネット
【図１】
0003542928.tif 000004
【図２】
0003542928.tif 000005
【図３】
0003542928.tif 000006
【図４】
0003542928.tif 000007
【図５】
0003542928.tif 000008
【図６】
0003542928.tif 000009
【図７】
0003542928.tif 000010
【図８】
0003542928.tif 000011
【図９】
0003542928.tif 000012
【図１０】
0003542928.tif 000013
【図１１】
0003542928.tif 000014
【図１２】
0003542928.tif 000015
【図１３】
0003542928.tif 000016
【図１４】
0003542928.tif 000017